(57)【要約】【課題】  インプレッション材料攪拌機の伝動装置の提供。【解決手段】  インプレッション材料攪拌機の伝動装置は、インプレッション材料攪拌機のＶ型フレーム及びモータの固定軸に所定数量のプーリが取り付けられ、並びにＶ型フレームに所定数量の補助ローラが軸支され、且つこれらプーリ、補助ローラ及び収容カップの外周に沿って開設された溝に所定数量のベルトが掛けられている。インプレッション材料攪拌機のモータがＶ型フレーム上の収容溝を駆動し回転させる時、上述のベルト、プーリ及び補助ローラの連帯動作により収容カップが収容溝の回転方向と反対方向に回転し、これによりインプレッション材料が高速回転下で均一に混合され、並びに遠心力作用により密実とされて材料中の気泡が除去される。【選択図】        図２
0003109925.tif 000002
【実用新案登録請求の範囲】
【請求項１】
モータ（８）、Ｖ型フレーム（５）、収容溝（７）、及び収容カップ（６）で構成されて該Ｖ型フレーム（５）がモータ（８）の回転軸（８１）に取り付けられ、且つ該収容溝（７）が該Ｖ型フレーム（５）に配置され、該収容カップ（６）がＶ型フレーム（５）の一側に軸支され、且つ該収容カップ（６）の開口が収容溝（７）の開口中に位置するよう形成されたインプレッション材料攪拌機に応用されるインプレッション材料攪拌機の伝動装置において、該伝動装置は、第１プーリ（１１０）、第２プーリ（１２０）、一対の補助ローラ（１４０）、第１ベルト（１５０）、第２ベルト（１６０）を具え、
該第１プーリ（１１０）は、該モータ（８）に軸支された固定軸（５１１）に取り付けられ並びにＶ型フレーム（５）の内部に位置し、
該第２プーリ（１２０）は、Ｖ型フレーム（５）に軸支され、且つＶ型フレーム（５）の収容カップ（６）の相互に対応する部分に位置し、
該一対の補助ローラ（１４０）は、Ｖ型フレーム（５）に軸支され、該一対の補助ローラ（１４０）の軸支の方向が第１プーリ（１１０）、第２プーリ（１２０）の取り付けの方向と相互に垂直とされ、
該第１ベルト（１５０）は、該第１プーリ（１１０）及び第２プーリ（１２０）の周囲に繞設され、
該第２ベルト（１６０）は、該第２プーリ（１２０）、該一対の補助ローラ（１４０）、及び該収容カップ（６）の外周に沿って開設された溝（６１）に掛けられたことを特徴とする、インプレッション材料攪拌機の伝動装置。
【請求項２】
請求項１記載のインプレッション材料攪拌機の伝動装置において、一対の補助ローラ（１４０）の周囲に内に凹んだ形態とされて第２プーリ（１２０）の繞設に供されることを特徴とする、インプレッション材料攪拌機の伝動装置。
【請求項３】
請求項１記載のインプレッション材料攪拌機の伝動装置において、第２プーリ（１２０）に連接部品（１７０）が配置され、該連接部品（１７０）が片状の頭部（１７２）及びロッド状の尾部（１７４）で構成され、該片状の頭部（１７２）に偏心形態のネジ孔（１７６）が設けられてネジ（１８０）が螺嵌されてＶ型フレーム（５）と接続され、並びに該連接部品（１７０）の該頭部（１７２）の回転により第１プーリ（１１０）及び第２プーリ（１２０）の相対位置が改変され、第１プーリ（１１０）と第２プーリ（１２０）の緊緩程度が調整されることを特徴とする、インプレッション材料攪拌機の伝動装置。
【考案の詳細な説明】
【技術分野】
【０００１】
本考案は一種の伝動装置に係り、特に、インプレッション材料を高速回転方式で攪拌して密度が高く、気泡がないインプレッション材料となすインプレッション材料攪拌機の伝動装置に関する。
【背景技術】
【０００２】
歯科インプレッション材料の攪拌方式は手で行なわれ、専用の攪拌機はなかった。この問題を解決するため、本件の考案者は既にインプレッション材料攪拌機（特許文献１）を提供しており、それは、一種の伝動装置を提示し、該伝動装置は、遊星歯車系に類似し、インプレッション材料を太陽歯車の公転に伴い並びに自転の方式で回転攪拌させ、並びにインプレッション材料を高速回転下で均一に混合し並びに遠心力作用により気泡を除去し密実となす。しかし、本考案者は不断の積極的な開発精神に基づき、インプレッション材料攪拌機の伝動装置に更に多種類の形態を具備させて更に実用性に符合するものとなすべく、本考案を提供する。
【０００３】
【特許文献１】台湾特許公告第２７４７４１号明細書
【考案の開示】
【考案が解決しようとする課題】
【０００４】
これにより、本考案の目的は、一種のインプレッション材料攪拌機の伝動装置を提供することにあり、そのうち、伝動装置はプーリにベルトを組み合わせた方式を採用して駆動し、インプレッション材料に攪拌後に高密度、優れた弾性、及び無気泡の特性を具備させ、これにより製品の品質を高めることができるものとする。
【０００５】
上述の目的を達成するため、本考案は一種のインプレッション材料攪拌機の伝動装置を提供し、該インプレッション材料攪拌機は、モータ、Ｖ型フレーム、収容溝、及び収容カップで構成されて該Ｖ型フレームがモータの回転軸に取り付られ、且つ該収容溝が該Ｖ型フレームに配置され、該収容カップがＶ型フレームの一側に軸支され、且つ該収容カップの開口が収容溝の開口中に位置するよう形成され、該伝動装置は、第１プーリ、第２プーリ、一対の補助ローラ、第１ベルト、第２ベルトで構成されている。該第１プーリは、該モータに軸支された固定軸に取り付けられ並びにＶ型フレームの内部に位置し、該第２プーリは、Ｖ型フレームに軸支され、且つＶ型フレームの収容カップの相互に対応する部分に位置する。該一対の補助ローラは、Ｖ型フレームに軸支され、該一対の補助ローラの軸支の方向が第１プーリ、第２プーリの取り付けの方向と相互に垂直とされる。該第１ベルトは、該第１プーリ及び第２プーリの周囲に繞設される。該第２ベルトは、該第２プーリ、該一対の補助ローラ、及び該収容カップの外周に沿って開設された溝に掛けられる。
【課題を解決するための手段】
【０００６】
請求項１の考案は、モータ（８）、Ｖ型フレーム（５）、収容溝（７）、及び収容カップ（６）で構成されて該Ｖ型フレーム（５）がモータ（８）の回転軸（８１）に取り付けられ、且つ該収容溝（７）が該Ｖ型フレーム（５）に配置され、該収容カップ（６）がＶ型フレーム（５）の一側に軸支され、且つ該収容カップ（６）の開口が収容溝（７）の開口中に位置するよう形成されたインプレッション材料攪拌機に応用されるインプレッション材料攪拌機の伝動装置において、該伝動装置は、第１プーリ（１１０）、第２プーリ（１２０）、一対の補助ローラ（１４０）、第１ベルト（１５０）、第２ベルト（１６０）を具え、
該第１プーリ（１１０）は、該モータ（８）に軸支された固定軸（５１１）に取り付けられ並びにＶ型フレーム（５）の内部に位置し、
該第２プーリ（１２０）は、Ｖ型フレーム（５）に軸支され、且つＶ型フレーム（５）の収容カップ（６）の相互に対応する部分に位置し、
該一対の補助ローラ（１４０）は、Ｖ型フレーム（５）に軸支され、該一対の補助ローラ（１４０）の軸支の方向が第１プーリ（１１０）、第２プーリ（１２０）の取り付けの方向と相互に垂直とされ、
該第１ベルト（１５０）は、該第１プーリ（１１０）及び第２プーリ（１２０）の周囲に繞設され、
該第２ベルト（１６０）は、該第２プーリ（１２０）、該一対の補助ローラ（１４０）、及び該収容カップ（６）の外周に沿って開設された溝（６１）に掛けられたことを特徴とする、インプレッション材料攪拌機の伝動装置としている。
請求項２の考案は、請求項１記載のインプレッション材料攪拌機の伝動装置において、一対の補助ローラ（１４０）の周囲に内に凹んだ形態とされて第２プーリ（１２０）の繞設に供されることを特徴とする、インプレッション材料攪拌機の伝動装置としている。
請求項３の考案は、請求項１記載のインプレッション材料攪拌機の伝動装置において、第２プーリ（１２０）に連接部品（１７０）が配置され、該連接部品（１７０）が片状の頭部（１７２）及びロッド状の尾部（１７４）で構成され、該片状の頭部（１７２）に偏心形態のネジ孔（１７６）が設けられてネジ（１８０）が螺嵌されてＶ型フレーム（５）と接続され、並びに該連接部品（１７０）の該頭部（１７２）の回転により第１プーリ（１１０）及び第２プーリ（１２０）の相対位置が改変され、第１プーリ（１１０）と第２プーリ（１２０）の緊緩程度が調整されることを特徴とする、インプレッション材料攪拌機の伝動装置としている。
【考案の効果】
【０００７】
本考案の提供するインプレッション材料攪拌機の伝動装置は、インプレッション材料攪拌機のＶ型フレーム及びモータの固定軸に所定数量のプーリが取り付けられ、並びにＶ型フレームに所定数量の補助ローラが軸支され、且つこれらプーリ、補助ローラ及び収容カップの外周に沿って開設された溝に所定数量のベルトが掛けられている。インプレッション材料攪拌機のモータがＶ型フレーム上の収容溝を駆動し回転させる時、上述のベルト、プーリ及び補助ローラの連帯動作により収容カップが収容溝の回転方向と反対方向に回転し、これによりインプレッション材料が高速回転下で均一に混合され、並びに遠心力作用により密実とされて材料中の気泡が除去される。
【考案を実施するための最良の形態】
【０００８】
図１は本考案のインプレッション材料攪拌機の局部断面図である。矩形の座体１が全体部品を搭載し、且つ座体１の中央は円柱形中空とされて円柱形のモータ収容シート２を収容し、座体１の四つの角部に上向きに垂直に支柱１１が延設されて引っ張りバネ３が支柱１１の上端とモータ収容シート２の側面間に取り付けられ、モータ収容シート２及びその上端の各部品が座体１の中空部に懸吊される。その目的は、四つの平均設置された引っ張りバネ３の有する弾性により、懸吊部品の振動を消去して攪拌機を使用時に安定させることにある。その原理は洗濯機の脱水槽の如しである。本考案は高速偏心回転により攪拌するため、この振動防止設計により作動の安定性が増される。モータ収容シート２内にはモータ８が設けられ、その上端にモータ８に駆動されて同期回転するＶ型フレーム５が設けられ、Ｖ型フレーム５の上方に円錐形の収容溝７及び伝動装置（詳細な図については後続の図２、３を参照されたい。）が固定され、Ｖ型フレーム５の一端にインプレッション材料を収容して攪拌を行なう収容カップ６が軸支される。この円柱形の収容カップ６は傾斜し且つ前述の収容溝７を貫通し、且つ収容カップ６の開口は傾斜して上向きとされ、並びに収容溝７の開口中に位置する。攪拌機が起動される時、収容カップ６は伝動装置の駆動を受けて、収容溝７と反対方向に回転し、このような回転方向設計によりインプレッション材料が十分に攪拌され均一に混合され、高速回転によりインプレッション材料が遠心力作用を受けて外に飛ばされ並びに傾斜する収容カップ６の傾斜設計の阻止により脱出せず、外向きに飛ばされて外側に収集されるインプレッション材料中の気泡が排出される。インプレッション材料は並びに収容カップ６の自転により不断に外側を離れて滞留せず、これにより均一に混合される。このような方式の攪拌は均一に混合できる長所のほかに、密実で無気泡の効果を有し、且つ高速回転攪拌に必要な時間は極めて短く、これにより十分な時間でその他の型製作過程を完成できる。
【０００９】
前述の部品及び伝動装置の詳細な構造について、図１〜３を参照されたい。モータ収容シート２の内部に緊密にモータ８が収容され、該モータ８の回転軸８１は中空とされ、それは垂直に上向きに設置され、その軸端がモータ収容シート２の上端に露出し、回転軸８１がモータ収容シート２より突出する界面にモータ８の回転軸８１を位置決めする軸受シート２１が設けられ、前述のモータ８の露出する回転軸８１の上端にＶ型フレーム５が固定され、並びにモータ８の駆動により同軸で同期に回転する。
【００１０】
伝動装置は第１プーリ１１０、第２プーリ１２０、一対の補助ローラ１４０、第１ベルト１５０、第２ベルト１６０で構成されている。該該第１プーリ１１０は、該モータ８に軸支された固定軸５１１に取り付けられ並びにＶ型フレーム５の内部に位置し、且つ第１プーリ１１０の周囲に一周の凹溝が設けられて、第１ベルト１５０の繞設に供され、上述の固定軸５１１はモータ８の回転軸８１内に位置する。第２プーリ１２０はＶ型フレームに軸支され、且つＶ型フレーム５に配置された収容カップ６の相互に対応する部分に位置し、且つ第２プーリ１２０の周囲に二周の凹溝が設けられて、それぞれ第１ベルト１５０と第２ベルト１６０の繞設に供される。補助ローラ１４０もＶ型フレーム５に軸支され、本実施例では、補助ローラ１４０は対称な位置に配置され、且つ補助ローラ１４０の軸支の方向が第１プーリ１１０、第２プーリ１２０の軸支の方向と相互に垂直とされている。該第１ベルト１５０は、該第１プーリ１１０及び第２プーリ１２０の周囲に繞設され、該第２ベルト１６０は、該第２プーリ１２０、該一対の補助ローラ１４０、及び該収容カップ６の外周に沿って開設された溝６１に繞設される。このほか、本実施例では、第１プーリ１１０、第２プーリ１２０及び補助ローラ１４０が動力を具備しない従動輪とされ、第１ベルト１５０と第２ベルト１６０が歯付きベルト或いは三角ベルトとされる。このほか、本実施例では、補助ローラ１４０の周囲が内に凹んだ形態に設計され得て上述の第２ベルト１６０の繞設に供される。
【００１１】
図１〜図３に示されるように、仮にモータ８がＶ型フレーム５上の収容溝７を時計回りに駆動すると、上述の第１プーリ１１０、第２プーリ１２０、補助ローラ１４０、第１ベルト１５０、第２ベルト１６０が連帯動作し、収容カップ６を駆動して逆時計回りに回転させ、前述のインプレッション材料攪拌の要求を達成し、これによりインプレッション材料を高速回転方式で均一に混合し、並びに遠心力作用により密実とし且つ材料中の気泡を除去できる。
【００１２】
図２、図４及び図５に示されるように、高速回転或いは多次使用後に上述のベルトは弛緩しうる。この問題を解決するため、ベルトを交換するほかに、本実施例では、第２プーリ１２０に連接部品１７０が配置され、該連接部品１７０が片状の頭部１７２（本実施例では六角形の片状形態とされている）及びロッド状の尾部１７４で構成され、該片状の頭部１７２に偏心形態のネジ孔１７６が設けられてネジ１８０が螺嵌されてＶ型フレーム５と接続され、上述の第２プーリ１２０が連接部品１７０のロッド状の尾部１７４を軸として回転可能とされる。第１ベルト１５０及び第２ベルト１６０が弛緩状態を呈する時、まず、ネジ１８０をゆるめ、続いて、図５の矢印Ａの方向に連接部品１７０の頭部を回し、並びに偏心の原理により第２プーリ１２０を矢印Ｂの方向に移動させ、第１プーリ１１０と第２プーリ１２０の相対位置を改変し、第１プーリ１１０と第２プーリ１２０の緊緩程度を調整した後、更にネジ１８０を締めればよい。
【図面の簡単な説明】
【００１３】
【図１】本考案のインプレッション材料攪拌機の局部断面図である。
【図２】本考案の伝動装置の構造表示図である。
【図３】本考案の伝動装置の動作表示図である。
【図４】本考案の伝動装置の未調整時の状態図である。
【図５】本考案の伝動装置の調整後のベルト緊緩程度改変後の状態図である。
【符号の説明】
【００１４】
１  座体
１１  支柱
１１０  第１プーリ
１２０  第２プーリ
１４０  補助ローラ
１５０  第１ベルト
１６０  第２ベルト
１７０  連接部品
２  モータ収容シート
３  引っ張りバネ
５  Ｖ型フレーム
５１１  固定軸
６  収容カップ
６１  溝
７  収容溝
８  モータ
８１  回転軸
【図１】
0003109925.tif 000003
【図２】
0003109925.tif 000004
【図３】
0003109925.tif 000005
【図４】
0003109925.tif 000006
【図５】
0003109925.tif 000007